(57)【要約】      （修正有）【課題】遺伝子情報を登録して、それに関連する必要な情報提供を行う遺伝子による診療情報の提供。【解決手段】個人のSNP遺伝子情報をID番号に関連付けて記憶し、疾患に罹るリスクファクター、治療薬に対する効果、薬品成分に対するアレルギー分析、ウィルスへの感染リスクに関する診療情報を、遺伝子情報を担うDNAの塩基配列が他に塩基に置き換わっている塩基対を表すSNP遺伝子情報に関連付けて記憶する記憶手段。ID番号に対応する個人のSNP遺伝子情報を検索する検索手段、個人のSNP遺伝子情報に対応する診療情報を更に検索する検索手段、前記ID番号のSNP遺伝子情報及び診療情報を表示する手段を備える。【選択図】図１
2004348749.tif 000002
【特許請求の範囲】
【請求項１】
ネットワークに接続される診療情報受給システムと診療情報提供システムとを備える遺伝子による診療情報システムであって、
前記診療情報受給システムは、
被検体のＩＤ番号を入力する入力手段と、
前記ＩＤ番号を前記被検体の氏名に関連付けて記憶する第１の記憶手段と、
前記診療情報提供システムの第２の記憶手段から前記ＩＤ番号の前記被検体のＳＮＰ遺伝子情報を前記ネットワークを介して取得し、前記第１の記憶手段からＩＤ番号に対応する前記被検体の氏名を読み出すことによって、前記被検体氏名のＳＮＰ遺伝子情報を表示する表示手段と、を備え、
診療情報提供システムは、
前記被検体個人のＳＮＰ遺伝子情報を前記ＩＤ番号に関連付けて記憶する第２記憶手段と、
前記診療情報受給端末からＩＤ番号を含む情報提供要求を受信する手段と、
前記受信したＩＤ番号に対応する前記被検体個人のＳＮＰ遺伝子情報を前記第２記憶手段から検索する手段と、
前記検索した前記ＩＤ番号のＳＮＰ遺伝子情報を、診療情報受給システムの前記表示手段に送信する手段と、
を備えたことを特徴とする診療情報システム。
【請求項２】
前記診療情報提供システムは、
疾患に罹るリスクファクター、治療薬に対する効果、薬品成分に対するアレルギー分析、ウィルスへの感染リスクの少なくともいずれかに関する診療情報を、遺伝子情報を担うＤＮＡの塩基配列が一つ分だけ他の塩基に置き換わっている塩基対を表すＳＮＰ遺伝子情報に関連付けて記憶する第３記憶手段を更に備え、
前記診療情報提供システムの前記検索手段は、前記受信したＩＤ番号に対応する前記被検体個人のＳＮＰ遺伝子情報を前記第２記憶手段から検索すると共に、前記検索した被検体個人のＳＮＰ遺伝子情報に対応する診療情報を前記第３記憶手段から検索し、
前記診療情報提供システムの前記送信手段は、前記検索した前記ＩＤ番号のＳＮＰ遺伝子情報及び診療情報を、前記診療情報受給システムの前記表示手段に送信し、
前記診療情報受給システムの表示手段は、前記診療情報提供システムの第２の記憶手段から前記ＩＤ番号の前記被検体のＳＮＰ遺伝子情報及び前記第３の記憶手段から前記診療情報を前記ネットワークを介して取得し、前記第１の記憶手段からＩＤ番号に対応する前記被検体の氏名を読み出すことによって、前記被検体氏名のＳＮＰ遺伝子情報に関係する診療情報を表示することを特徴とする請求項１記載の診療情報システム。
【請求項３】
ネットワークを介して診療情報受給端末に接続される診療情報提供システムにおいて、
被検体個人のＳＮＰ遺伝子情報を被検体固有のＩＤ番号に関連付けて記憶する第１記憶手段と、
前記診療情報受給端末からＩＤ番号を含む情報提供要求を受信する手段と、
前記受信したＩＤ番号に対応する前記被検体個人のＳＮＰ遺伝子情報を前記第１記憶手段から検索する手段と、
前記検索した被検体個人のＳＮＰ遺伝子情報を、前記ＩＤ番号と被検体氏名を関連付けて記憶する第２の記憶手段に接続された、前記診療情報受給端末に送信する手段とを具備することを特徴とする診療情報提供システム。
【請求項４】
疾患に罹るリスクファクター、治療薬に対する効果、薬品成分に対するアレルギー分析、ウィルスへの感染リスクの少なくともいずれかに関する診療情報を、遺伝子情報を担うＤＮＡの塩基配列が一つ分だけ他の塩基に置き換わっている塩基対を表すＳＮＰ遺伝子情報に関連付けて記憶する第３記憶手段を更に備え、
前記検索手段は、前記受信手段により受信したＩＤ番号に対応する前記被検体個人のＳＮＰ遺伝子情報を前記第１記憶手段から検索し、前記検索した被検体個人のＳＮＰ遺伝子情報に対応する診療情報を前記第３記憶手段から検索し、
前記送信手段は、前記検索した診療情報を、前記診療情報受給端末に送信することを特徴とする請求項３記載の診療情報提供システム。
【請求項５】
ネットワークを介して診療情報受給端末に診療情報を提供する方法において、
前記診療情報受給端末から被検体固有のＩＤ番号を含む情報提供要求を受信するステップと、
遺伝子情報を担うＤＮＡの塩基配列が一つ分だけ他の塩基に置き換わっている塩基対を表す被検体個人のＳＮＰ遺伝子情報を、ＩＤ番号に関連付けて記憶する第１記憶手段を前記受信したＩＤ番号により検索して前記受信したＩＤ番号に対応する被検体個人のＳＮＰ遺伝子情報を取得するステップと、
疾患に罹るリスクファクター、治療薬に対する効果、薬品成分に対するアレルギー分析、ウィルスへの感染リスクの少なくともいずれかに関する診療情報をＳＮＰ遺伝子情報に関連付けて記憶する第２記憶手段を、前記取得した被検体個人のＳＮＰ遺伝子情報により検索して前記取得した被検体個人のＳＮＰ遺伝子情報に対応する診療情報を取得するステップと、
前記取得した被検体個人のＳＮＰ情報に対応する診療情報を、前記ＩＤ番号と被検体氏名を関連付けて記憶する第３の記憶手段に接続された、診療情報受給端末に送信するステップを備えることを特徴とする診療情報提供方法。
【請求項６】
ネットワークに接続される診療情報受給システムと診療情報提供システムとを備える遺伝子による診療情報システムであって、
前記診療情報受給システムは、
被検体の遺伝子情報を取得する取得手段と、
この取得手段により取得された被検体の遺伝子情報のうち特定の病気に関連する遺伝子情報を持つＤＮＡを格納する第１の記憶部と、
前記診療情報提供システムの第１のデータベースにアクセスして取り出した前記第１の記憶部に格納された被検体の遺伝子情報を解析するのに必要な一部の標準遺伝子の塩基配列を格納する第２の記憶部と、
この第２の記憶部に記憶された一部の標準遺伝子の塩基配列と、前記第１の記憶部に記憶されている被検体の遺伝子情報とを比較して、遺伝子情報を担うＤＮＡの塩基配列の一部が他の塩基に置き換わっている塩基対を表す被検体のＳＮＰ情報を得る比較手段と、
前記診療情報提供センターの第２のデータベースが蓄積する種々のＳＮＰ情報の中から、前記被検体のＳＮＰ遺伝子情報に関係する前記ＳＮＰ遺伝子情報の診療情報を、前記ネットワークを介して取得して表示する表示手段と、
を備え、
前記診療情報提供システムは、
前記標準遺伝子の塩基配列を格納する第１のデータベースと、
前記診療情報受給システムからの要求に応じて前記標準遺伝子情報を前記第１のデータベースからネットワークを介して前記診療情報受給システムに供給する第１の供給手段と、
種々のＳＮＰ遺伝子情報に関連付けされた診療情報を記憶する第２のデータベースと、
前記診療情報受給システムの比較手段において得られた、前記被検体のＳＮＰ遺伝子情報をネットワークを介して取得する取得手段と、
取得した前記被検体のＳＮＰ遺伝子情報に関連付けされた診療情報を前記第２のデータベースから読み出して、ネットワークを介して前記診療受給システムに供給する第２の供給手段と
を備えることを特徴とする遺伝子による診療情報システム。
【請求項７】
被検体の遺伝子情報に基づく診療情報を提供する診療情報提供センターの診療情報提供端末にネットワークにより接続される遺伝子解析システムであって、
被検体の遺伝子情報を取得する取得手段と、
この取得手段により取得された被検体の遺伝子情報を格納する第１の記憶部と、
前記診療情報提供センターの第１のデータベースにアクセスし取り出した前記取得手段により取得された被検体の遺伝子情報を解析するのに必要な一部の標準遺伝子の塩基配列を格納する第２の記憶部と、
この第２の記憶部に記憶された一部の標準遺伝子の塩基配列と、前記第１の記憶部に記憶されている被検体の遺伝子情報とを比較して、遺伝子情報を担うＤＮＡの塩基配列の一部が他の塩基に置き換わっている塩基対を表す被検体のＳＮＰ情報を得る比較手段と、
前記診療情報提供センターの第２のデータベースが蓄積する種々のＳＮＰ遺伝子情報の診療情報の中から、前記被検体のＳＮＰ遺伝子情報に関係する前記ＳＮＰ遺伝子情報の診療情報を、前記ネットワークを介して取得して表示する表示手段と、
を備えることを特徴とする遺伝子解析システム。
【請求項８】
被検体の遺伝子情報に基づく診療情報を提供する診療情報提供センターの診療情報提供端末にネットワークにより接続される遺伝子解析システムであって、
被検体の遺伝子情報を取得する取得手段と、
この取得手段により取得された被検体の遺伝子情報のうち特定の病気に関連する遺伝子情報を持つＤＮＡを抽出する解析部と、
この解析部により抽出された被検体の個人遺伝子情報を送信するデータ送受信部と、
前記データ送受信部により受信された、前記診療情報提供センターのデータベースが蓄積する種々のＳＮＰ遺伝子情報の診療情報の中から、前記被検体のＳＮＰ遺伝子情報に関係する前記ＳＮＰ遺伝子情報の診療情報を、前記ネットワークを介して取得して表示する表示手段と、
を備えることを特徴とする遺伝子解析システム。
【請求項９】
前記診療情報は、疾患に罹るリスクファクター、治療薬に対する効果、薬品成分に対するアレルギー分析、ウィルスへの感染リスクの少なくともいずれかであることを特徴とする請求項７又は８であることを特徴する遺伝子解析システム。
【請求項１０】
前記データ送受信部は、前記診療情報提供センターのデータベースに前記被検体の個人遺伝子情報を登録するために当該個人遺伝子情報を、前記ネットワークを介して前記診療情報提供センターのデータ送受信部に送信することを特徴とする請求項７乃至請求項１０のいずれか１項記載の遺伝子解析システム。
【発明の詳細な説明】
【技術分野】
【０００１】
本発明は、遺伝子情報を登録して、それに関連する必要な情報提供を行う遺伝子による診療情報提供方法等に関する。
【背景技術】
【０００２】
ヒトの遺伝子解析が、ヒトゲノム計画の基、世界的な規模で行われている。これらのヒト遺伝子情報はDNAの塩基配列で構成されている。
【０００３】
ヒトの塩基対は膨大な数であり、約30億塩基対もある。これらの情報を用いて遺伝子診断、遺伝子治療や劇薬など様々な応用が期待されている。
【０００４】
特に、遺伝子情報から発現蛋白の解析、cDNAのクローニングと蛋白発現、発現蛋白の機能と疾患との関連の解明、機能性蛋白質の構造解明、疾患と疾患関連遺伝子の解析、バイオインフォーマテイクスの進展などが期待されている。更には、予防医学、テーラーメード医療なども謳われている。
【０００５】
ヒトの遺伝子情報を収集し分析するには、莫大な情報量を扱わなくてはならず、高速度処理を可能とするコンピュータの存在が欠かせなく、コンピュータ処理によって初めて遺伝子解析が可能になると言っても過言ではない。
【０００６】
一方でSNP(sing1e Nuc1eotide Polymorphism) 情報がある。SNPは一塩基変異対と呼ばれ、遺伝子情報を担うDNAの塩基配列が一つ分だけ他の塩基に置き換わっている塩基対である。この塩基対によって先天的な遺伝子疾患に罹ったり、また生活環境などの後天的要因とSNPの要因が絡まって、ガンや糖尿病といった疾患が発現すると言われている。
【０００７】
ヒトのSNPは300万〜1000万個といわれている。遺伝子配列のうち、どこにSNPがあるか情報ネットワークを用いて解析したりする方法が、既に行われ始めている。
【０００８】
現在ゲノム創薬に向かって、いくつかの革新的な技術が進んでおり、その代表的なものは以'下の通りである。
【０００９】
・ゲノムを基盤とした創薬のターゲットの探索：全遺伝子を対象とするDNAチップ  
・全蛋白を対象としたHTS(High-Throughtput Screening)：DNA／プロテインチップ  
・臨床開発の効率化と期間短縮を目指した評価研：＊DNA/プロテインチップ(薬理ゲノミックス)  
・SNP(Sing1e Nuc1eotide Po1ymorphism)
つまり、状況としては遺伝子産業界にとって、ヒト遺伝子情報の解明が現在の最大の目的であり、それを実現するために、新規DNAチップの開発、解析手法の効率化、ゲノムインフォマティックスが盛んに研究・開発され、事業への進展を見せている。
【００１０】
しかし、臨床的に意味のある遺伝子情報は未解明でこれからの研究の進展が望まれている。遺伝子診断の臨床約価値は複数人のサンプルを採ってきて比較するところから始まると予想される。つまり沢山の遺伝子情報と疾患の関連付けを行う必要がある。
【００１１】
このように遺伝子情報は現在まだ解明の段階にあり、これを用いて診断を行うことはまだ相当先になると思われる。たとえその段階になったとしても、非常に多い遺伝子情報の全データを登録する必要があり、それらを登録することは困難である。更にたとえ登録できたとしてもそれらと疾患と関連づけ、さらに検索することは非常に困難で、実際的ではない。
【発明の開示】
【発明が解決しようとする課題】
【００１２】
本発明は、遺伝子情報の秘密の保持性を向上することを目的とする。
【課題を解決するための手段】
【００１３】
本発明は、ネットワークに接続される診療情報受給システムと診療情報提供システムとを備える遺伝子による診療情報システムであって、前記診療情報受給システムは、被検体のＩＤ番号を入力する入力手段と、前記ＩＤ番号を前記被検体の氏名に関連付けて記憶する第１の記憶手段と、前記診療情報提供システムの第２の記憶手段から前記ＩＤ番号の前記被検体のＳＮＰ遺伝子情報を取得すると共に、前記診療情報提供システムの第２の記憶手段から前記ＩＤ番号のＳＮＰ遺伝子情報に関係する疾患に罹るリスクファクター、治療薬に対する効果、薬品成分に対するアレルギー分析、ウィルスへの感染リスクの少なくともいずれかに関する診療情報を、前記ネットワークを介して取得し、前記第１の記憶手段からＩＤ番号に対応する前記被検体の氏名を読み出すことによって、前記被検体氏名のＳＮＰ遺伝子情報に関係する診療情報を表示する表示手段と、を備え、診療情報提供システムは、前記被検体個人のＳＮＰ遺伝子情報を前記ＩＤ番号に関連付けて記憶する第２記憶手段と、前記疾患に罹るリスクファクター、治療薬に対する効果、薬品成分に対するアレルギー分析、ウィルスへの感染リスクの少なくともいずれかに関する診療情報を、遺伝子情報を担うＤＮＡの塩基配列が一つ分だけ他の塩基に置き換わっている塩基対を表すＳＮＰ遺伝子情報に関連付けて記憶する第３記憶手段と、前記診療情報受給端末からＩＤ番号を含む情報提供要求を受信する手段と、前記受信したＩＤ番号に対応する前記被検体個人のＳＮＰ遺伝子情報を前記第２記憶手段から検索し、前記検索した被検体個人のＳＮＰ遺伝子情報に対応する診療情報を前記第３記憶手段から検索する手段と、前記検索した前記ＩＤ番号のＳＮＰ遺伝子情報及び診療情報を、診療情報受給システムの前記表示手段に送信する手段と、を備えたことを特徴とする。
【発明の効果】
【００１４】
本発明によれば、遺伝子情報の秘密の保持性を向上することができる。
【発明を実施するための最良の形態】
【００１５】
以下、本発明の最良の実施の形態について説明する。図1にSNPに関する情報を登録するまでの大まかな流れを示し、図2にこの実施形態のシステムの構成を示す。また、図19に詳しい処理の流れを示す。図2(a)に示すように、病院の遺伝子検査室の遺伝子解析システム10は、表示部11と、比較部12と、記憶部13とデータ送受信部14と遺伝子取得部15と、遺伝子データベース１７から成っており、データ送受信部14は外部のネットワーク18に接続されている。
【００１６】
また、サービスセンターに設けられている遺伝子解析システム20は図2(b)に示すように、表示部２１と、オーダーモニター部22と課金部23と、情報量カウント部24と、第１のデータベース25と、個人SNP登録データベース26と、投薬とSNPデータベース27と、疾患とSNPデータベース28と、データ送受信部29とからから成り、データ送受信部29は外部のネットワーク18に接続されている。
【００１７】
まず、例えばある病院の遺伝子検査室において、図1のステップＳ１で患者の診断を行うために必要な血液検査や生化学検査などの一般的な検査を行う。このとき、オプション検査として、ステップS12で担当医師が遺伝子検査の有無を判断する。必要でなければ検査を終了するが、遺伝子検査が必要と判断されれば、ステップS13で患者の同意を得て当該患者のSNPに関する遺伝子情報を取得する(S91)。
【００１８】
具体的には、遺伝子検査室で必要な血液を採取し、その血液をサンプルとして遺伝子診断装踵12aを用いてSNPに関する遺伝子構報を取得、即ち全遺伝子塩基配列あるいは指定された部分の遺伝子塩基配列を作成する。
【００１９】
個人から取得した血液を用いて、個人遺伝子情報を作成する。遺伝子プローブなどの遺伝子取得部15で個人遺伝子情報を取得する。取得した個人の遺伝子情報は一旦、記憶部13に格納される。このとき例えば糖尿病患者であれば、糖尿病に関連する遺伝子情報を持つDNAだけを抽出する。
【００２０】
次にステップS14において、サービスセンターの遺伝子解析システム20の標準遺伝子配列DB25にアクセスし、標準遺伝子を取り出してくる(S92)。
【００２１】
取り出してきた標準遺伝子は病院の遺伝子解析システム１０のデータ送受信部14を介して、記憶部13もしくは遺伝子DB17へ格納される。このとき、先の個人遺伝子取得ステップで得られた遺伝子情報を解析するのに必要な一部の遺伝子情報を格納する。
【００２２】
サービスセンターの遺伝子解析システム20では、情報量カウント部24において取り出された遺伝子情報の種類や情報量をカウントし、その情報量や種類に応じて課金部23で課金情報を作成する。課金部では予め課金のデータベースを有しており、このデータベースに照らし合わせて課金情報を作成する。
【００２３】
その後、ステップS15において、比較部12で、記憶部13に記憶されている当該患者の遺伝子とサービスセンターから取得した標準遺伝子を比較する(S93)。
【００２４】
比較された結果、当該患者の遺伝子塩基配列がダウンロードした一般的な遺伝子塩基配列と異なる個所が見つかった場合には、ステップS16でその差異に基づいて、診断結果を当該患者に忠告する。
【００２５】
一方、ステップS17において、この異なる個所の遺伝子情報即ちSNP遺伝子情報を患者の同意を得て登録する。
【００２６】
両方の遺伝子を比較して得られたSNP情報は病院内の検査番号(仮ID番号)などを付して遺伝子DB17に格納される。格納時には仮ID番号とSNP情報を対応付けて登録される(S93)。
【００２７】
SNP情報が仮登録されると同時に、サービスセンター側にはSNP情報が仮登録されたこと、その番号などが通知される(S94)。通知された情報を基に本登録の催促、確認などが行われる(S95)。医師や患者は、本登録を行う。必要なければ仮IDによる病院内での情報共有データになる。本登録はどの時点でも可能である。
【００２８】
このSNP遺伝子情報の登録の手続きを、図面を用いて更に詳しく説明する。図3にこの登録手続きの流れを示す。
【００２９】
ステップＳ２１で、例えば図4に示すような入力面面において登録者名と保険証番号を入力することにより、患者名等の登録を行う。入力がすんだら「次へ」ボタン41をクリックし、図5に示す画面に移り、仮ID番号が発行されていることを知る(ステップS22)。
【００３０】
次に図6に示す画面に移り、患者のSNP情報を登録するかの確認を求める(ステップS23)。図6の画面で「No」ボタン61をクリックすると、SNP情報は登録されない。
【００３１】
一方、「Yes」ボタン62をクリックすると、ステップS24に移り、患者本人の認証を求める。医師や患者は例えば保険証ICカードや、登録済みの保険証番号とパスワード、もしくは指紋、眼の光彩などの認証手段を用いて認証を行う。所定の認証情報を入力することによって、図7に示すように「認証中」と表示され、終わったら「OK」ボタン71をクリックして、図3のステップS25で、遺伝子DB17から当該患者のSNP遺伝子情報を入力する。
【００３２】
入力が完了すると、ステップS26に移り、サービスセンターの遺伝子解析システム20の個人SNP登録DB26に登録する(S98)。その後、ステップS27に移り、例えば図8のような画面が出て本IDが発行されたことを知る。このID番号は、後日診断などを行うときに必要となるので、忘れないように注意を喚起する文言や、忘れた場合の問い合わせ先と共に、表示される。
【００３３】
こうしてサービスセンターの個人SNP登録DB26には、ID番号と対応するSNP遺伝子情報が記憶蓄積される。
【００３４】
以上で、遺伝子登録が終了しこの後に、本IDやメニュー情報の送信により、SNP情報に関連した必要な情報を受け取ることができる。
【００３５】
医師や患者はSNP情報を参照するときや、その他情報を入手する際には、このID番号を用いてサービスセンターに問い合わせすることになる。このID番号をICカードに入力して、問い合わせのときに、このICカードを用いてID番号を入力するようにしてもよいし、ID番号をテンキーにより入力するようにしてもよい。
【００３６】
上述のようにサービスセンターの個人SNP登録DB２６への登録は、患者名でなく、複数桁のID番号で登録されている。こうすることにより、患者や医師はそのID番号から遺伝子情報を知ることができるが、関係者以外はSNP遺伝子情報を万一知っても、誰のものか知ることができないようになっている。サービスセンターもSNP遺伝子情報が誰のものかについて知ることができない。
【００３７】
また、各病院の遺伝子DBには、ID番号を患者名に変換するためのテーブルが記憶されており、病院内においては必要な医師が紹介して知ることができるが、他の病院やサービスセンターからは見ることができない。このようにして患者のSNP遺伝子情報の秘密は保たれる。
【００３８】
次に、上述のようにしてサービスセンターの個人ＳＮＰ遺伝子DB２６に登録されたSNP遺伝子情報を元に診断を行う場合の方法について説明する。図9に診断の手順を示す。
【００３９】
まず、ステップS31において先に付与されたID番号を入力する(S101)。この場合の入力画面の例を図10に示す。即ち、「ID番号を入力してください。」と表示され、ID番号を入力し、「OK」ボタン101をクリックすると、その下に「該当者を探しています。」と表示される。
【００４０】
ステップS32において、入力されたID番号の該当者のSNP遺伝子情報がサービスセンターの個人SNP登録DB26にあるか調べる(S102)。あれば、ステップS33に移り、例えば図11に示すような画面が表示される。この画面では、疾患に罹るリスク分析、治療薬に対する効果分析、薬品成分に対するアレルギー分析、ウィルスヘの感染リスク分析など、SNP遺伝子情報からわかるすべてのメニューが表示される。その他、患者へは健康管理に関するアドバイス情報を知らせたり、食事に対するアドバイスなども知らせることができる。これらの情報は、投薬とSNPDB27や疾患とSNPDB28などに記憶されている。
【００４１】
ユーザはその中から欲しい情報を選択する(S105)。ステップS34において、欲しい情報が選択されると、ステップS35に移り、選択された情報について分析され、結果が作成される(S106)。
【００４２】
例えば、図１１の画面において「1.疾患に罹るリスク分析」が選択されだとすると、図12に示すような情報が得られる。これは、疾患に罹るリスクの各ファクターに対するリスクを表す。即ち、ア病、イ病、ウ病、エ症候群、オ症候群、に対してSNP遺伝子情報がA,B,C,D,E,F,A*B,A*C,A*D,A*E,A*B*C,・・の各々の場合のリスクがパーセントで表示される。
【００４３】
患者のID番号から参照した結果、この患者のSNP遺伝子情報がA*Bであったとする。A*BはAというSNPとBというSNPの2つが存在するという意味である。SNP遺伝子情報がA*Bの場合、図12から、ア病に罹るリスクは10%、イ病に罹るリスクは60%、ウ病に罹るリスクは10%、オ症候群に罹るリスクは20%あることが理解される。その結果はまとめられて、ステップS36で当該ID番号を入力した者に通知される。この通知はリスクの高いものから並べてもよいし、患者の興味がある疾患(例えば、心臓の病気)から表示するようにしてもよい。
【００４４】
患者もしくは医師は、得た結果を画面上に表示したり、印刷することができる。また、電子カルテなどの診療情報として付加することもできる。
【００４５】
図12に示すような、疾患に罹るリスクファクターとSNP遺伝子情報の関係は、サービスセンターの遺伝子解析システム20の疾患とSNPDB28に保管されている。これらの情報はその日までに知られている薬情報や疫学的情報や疾患リスク情報に基づいて作成される。
【００４６】
図11の画面において、「2.治療薬に対する効果分析」が選択されたら、図13に示すように、例えば治療薬、1−薬、2−薬、3−薬、4−薬、5−薬、に対してSNP遺伝子情報がA,B,C,D,E,F,A*B,A*C,A*D,A*E,A*B*C,・・の場合の治療効果の測定値がパーセントで表示される。
【００４７】
同様にして、図11の画面で、「3.薬品成分に対するアレルギー分析」が選択されたとすると、図14に示すように、薬品成分、a、b、c、d、e、に対してSNP遺伝子情報がA,B,C,D,E,F,A*B,A*C,A*D,A*E,A*B*C,・・の場合のリスクがパーセントで表示される。
【００４８】
図11の画面で、「4.ウィルスヘの感染リスク分析」が選択されたとすると、図15に示すように、ウィルス、A、B、C、D、E、に対してSNP遺伝子情報がA,B,C,D,E,F,A*B,A*C,A*D,A*E,A*B*C,・・の場合のリスクがパーセントで表示される。
【００４９】
図13乃至図15に示したテーブルも、その日までの種々の情報に基づいて作成され、サービスセンターの個人SNP登録DB16に保管・蓄積されている。
【００５０】
上記実施形態ではサービスセンターの遺伝子解析センターから標準遺伝子の情報を各病院で取得し、各病院の個人の遺伝子情報を比較し解析していた。しかし、各病院で得られた個人の遺伝子情報を全てサービスセンターに送りそこで解析を行うようにすることもできる。
【００５１】
この場合の全体の構成を図16に示す。図16において、番号132を除いて各番号130〜149は図2における番号10〜29に対応する。解析部132は、図2の比較部12と異なり、各病院において遺伝子の解析を行うところである。また150は比較部、151は記憶部である。
【００５２】
本登録の確認、催促以降は上記実施形態の場合と同様である。
【００５３】
個人から取得した血液を用いて個人遺伝子情報を作成する。各病院において遺伝子プローブなどの遺伝子取得手段により個人の遺伝子情報を取得する。取得した個人の遺伝子情報は一旦、遺伝子取得部135に格納される。このとき、例えば糖尿病患者であれば糖尿病に関連する遺伝子情報を持つDNAだけを抽出する。次に、取得した個人遺伝子情報をサービスセンターの遺伝子解析システム140ヘデータ送受信部134を通して送信する。
【００５４】
送信されてきた個人遺伝子情報は遺伝子解析システム１４０の記憶部151に一旦格納される。格納された遺伝子情報と送信されてきた関連情報(例えば、取得した遺伝子情報の位置、DNA22番のどの辺り)を用いて標準遺伝子を取得する。比較部150では、標準遺伝子配列DB145から取得してきた標準遺伝子と、個人遺伝子情報を比較し、SNP情報を得る。得られたSNP情報は記憶部151に格納される。
【００５５】
SNP情報の解析・取得が終了すると、比較が終了しSNP情報が得られたことを病院側のシステムに知らせる。病院側のシステムでは、遺伝子のどの辺りにSNPがあるかを知らせる。通知された情報を基に、木登録の催促、確認が行われる。医師や患者は、本登録に伴う疾患リスク検索」「投薬リスク検索」が必要であれば、本登録を行う。必要なければ、仮IDによる病院内での情報共有データになる。本登録はどの時点でも可能である。
【００５６】
病院で医師もしくは患者が、本登録申請を行うと、サービスセンターのシステム140では患者承認手続を始める。医師や患者は、例えば保険証ICカードや、登録済みの保険証番号とパスワード、もしくは指紋、眼の光彩などの個人認証などを用いて認証を行う。患者認証が完了すると、システム140は登録ID番号を発行する。
【００５７】
本ID番号が発行された後にSNP情報を登録する。仮ID番号によるSNP情報を読み出してSNP情報を、システム１４０の個人SNP登録DB146に格納・登録する。
【００５８】
以上で、遺伝子登録が終了し、この後に本IDやメニュー情報の送信により、SNP情報に関連した必要な情報を受け取ることができる。
【００５９】
各病院のシステム130もしくは、個人端末139などからサービスセンターのシステム140へ本IDを送信する。送信するとメニュー情報が表示され、必要なSNP関連情報が検索できる。
【００６０】
例えば、SNP情報に関連した投薬アレルギーの情報については、まず個人端末139から個人SNP情報を、個人SNP登録DB146から検索する。抽出した個人SNP情報を基に、サービスセンターの投薬とSNPDB147の中で、登録されているデータを検索する。もしくは、個人端末139からリクエストのあった病気や疾患情報とSNP情報に応じて検索する。検索の結果出てきたSNPと投薬アレルギー情報の関係を送信し、個人端末139の画面上に結果を表示する。
【００６１】
ところでこのように、病院とは別にSNP遺伝子情報について専門の登録機関を設置することにより、種々のサービスが可能となる。この種の他の実施形態について説明する。
【００６２】
図17にこの全体システムの構成を示す。160はSNP遺伝子情報を登録し、それに基づく健康情報を提供するSNP遺伝子健康情報サービスプロハイダであり、161a,161bは病院であり、162は製薬研究所である。病院161aにおいて、患者163の了承(認証)を取って医師164は病院の端末165からSNP遺伝子健康情報サービスプロハイダ160にアクセスし、患者のSNP遺伝子情報の登録を行う(S41)。
【００６３】
他の病院161bから患者のSNP遺伝子情報がSNP遺伝子健康情報サービスプロバイダ160に登録され(S42)、あるいは製薬研究所162から薬などの情報がSNP遺伝子健康情報サービスプロバイダ160に提供される(S43)。その見返りとして病院161bや製薬研究所162に所定の報酬が支払われる(S44)。
【００６４】
SNP遺伝子健康情報サービスプロバイダ160は、上記の情報や種々の発表文献などから、SNP遺伝子と各種リスク、健康などとの相関を常時、調査して図12乃至図15に示したようなテーブルを作成している。
【００６５】
したがって、医師164がSNP遺伝子健康情報サービスプロバイダ160から患者の治療情報の提供を受けたとき(S45)、あるいは患者163がSNP遺伝子健康情報サービスプロバイダ160から健康情報を取得するとき(S46)には、このプロバィダ160に所定の料金を支払う(S47)。
【００６６】
このようにしてSNP遺伝子情報を提供して料金を得ることによって経営が成り.立っていく。
【００６７】
図１８に示すように、保険組合又は保険会社171が患者とSNP遺伝子健康情報サービスプロハイダ160の間に介在し、患者から会費を徴集し(S51)、このプロバイダと一括契約して所定金額を払い(S52)、加入している患者にSNP遺伝子に基づく健康情報を提供する(S53)ようにすることもできる。
【図面の簡単な説明】
【００６８】
【図１】本発明の一実施形態の方法を説明するための図である。
【図２】本発明一実施形態のシステムの構成を説明するための図である。
【図３】本発明の一実施形態におけるID番号発行を説明するための図である。
【図４】図3の実施形態における患者名などの入力画面の一例を示す図である。
【図５】は、図3の実施形態における仮ID番号発行の画面の一例を示す図である。
【図６】図3の実施形態におけるSNP情報登録の画面の一例を示す図である。
【図７】図3の実施形態における認証印の画面の一例を示す図である。
【図８】図3の実施形態におけるID番号発行の画面の一例を示す図である。
【図９】本発明における登録されたSNP遺伝子情報から欲しい情報の結果を得る過程を説明する為の図である。
【図１０】図9の実施形態におけるID番号入力の画面の一例を示す図である。
【図１１】図9の実施形態における欲しい情報のメニュー表示の一例を示す図である。
【図１２】図9の実施形態における、SNP遺伝子情報と疾患に罹るリスクの関係を示す表の例を示す図である。
【図１３】図9の実施形態における、SNP遺伝子情報と治療薬に対する効果の関係を示す表の例を示す図である。
【図１４】図9の実施形態における、SNP遺伝子情報と薬品成分に対するアレルギー発生リスクの関係を示す表の例を示す図である。
【図１５】図9の実施形態における、SNP遺伝子情報とウィルスに対する感染のし易さの関係を示す表の例を示す図である。
【図１６】本発明の他の実施形態のシステムの構成を説明するための図である。
【図１７】SNP遺伝子健康情報サービスプロハイダと病院などの関係を説明するための図である。
【図１８】SNP遺伝子健康情報サービスプロハイダと病院、保険組合などの関係を説明するための図である。
【図１９】図2に示した実施形態の処理の詳しい手順を説明するための図である。
【符号の説明】
【００６９】
１０…遺伝子解析システム、１１…表示部、１２…比較部、１３…記憶部、１４…データ送受信部、１５…遺伝子取得部15、１７…遺伝子データベース、１８…ネットワーク、２０…遺伝子解析システム、２１…表示部、２２…オーダーモニター部、２４…情報量カウント部、２５…第１のデータベース、２６…個人SNP登録データベース、２７…投薬SNPデータベース、２８…疾患SNPデータベース、２９…データ送受信部。
【図１】
2004348749.tif 000003
【図２】
2004348749.tif 000004
【図３】
2004348749.tif 000005
【図４】
2004348749.tif 000006
【図５】
2004348749.tif 000007
【図６】
2004348749.tif 000008
【図７】
2004348749.tif 000009
【図８】
2004348749.tif 000010
【図９】
2004348749.tif 000011
【図１０】
2004348749.tif 000012
【図１１】
2004348749.tif 000013
【図１２】
2004348749.tif 000014
【図１３】
2004348749.tif 000015
【図１４】
2004348749.tif 000016
【図１５】
2004348749.tif 000017
【図１６】
2004348749.tif 000018
【図１７】
2004348749.tif 000019
【図１８】
2004348749.tif 000020
【図１９】
2004348749.tif 000021